(57)【要約】【課題】  指を挿入できる大きさの穴要の中点を中心として円周移動する紙扇子を提供する。【解決手段】  葉面の側縁に側折線を介して側片を延設して組材を形成し、該組材は少なくても２枚設け、側折線を袋折して側片が葉面の開重域に重なった状態での該組材の下部に穴要を貫通させて設け、該葉面に設けられた該穴要を葉穴とし、該側片に設けられた該穴要を片穴とし、一方の該葉穴と他方の該片穴とを該穴要の縁から舌基折線を介して延設された舌片で連結し、該舌片の連結構造によって一方と他方の組材が連結される構造にする。【選択図】  図１
2016120084.tif 000002
【特許請求の範囲】
【請求項１】
葉面の側縁に側折線を介して側片を延設して組材を形成し、該組材は少なくても２枚設けて一方の組材と他方の組材とし、側折線を袋折して側片が葉面の開重域に重なった状態での該組材の下部に穴要を貫通させて設け、一方の組材にある穴要を一方の穴要とし、他方の組材にある穴要を他方の穴要とし、該葉面に設けられた該穴要を葉穴とし、該側片に設けられた該穴要を片穴とし、一方の該葉穴と他方の該片穴とを該穴要の縁から舌基折線を介して延設された舌片で連結し、該舌片の連結構造によって一方と他方の組材が連結されることを特徴とする指穴要の紙扇子。
【請求項２】
舌片の連結構造で、一方の穴要にある葉穴から舌基折線を介して延設された該舌片を、他方の穴要にある片穴の縁に該舌片を掛けて連結したことを特徴とする請求項１記載の指穴要の紙扇子。
【請求項３】
舌片の連結構造で、他方の穴要にある片穴から舌基折線を介して延設された該舌片を、一方の穴要にある葉穴に通して、組材の下縁を巻き込んで該穴要を束ねて連結したことを特徴とする請求項１記載の指穴要の紙扇子。
【発明の詳細な説明】
【技術分野】
【０００１】
本発明は、紙扇子に関する物である。
【背景技術】
【０００２】
従来の紙扇子は、小さな穴要に棒状の物を差し込んで固定する構造の物（文献１）、葉面から外に突出した差込片を穴要に差し込んで固定する構造の物（文献２）であった。
【先行技術文献】
【特許文献】
【０００３】
【特許文献１】特開平１０−３０４９１９号
【特許文献２】特開２０１４−８３２２３号
【発明の概要】
【発明が解決しようとする課題】
【０００４】
従来の技術は、多数の扇ぎ葉（組材）を束ねて連ねる構造の紙扇子には有利であるが、構造的に複雑であり、穴要に指を入れることはできないという問題点があった。本発明では前記の問題解決を課題にする。
【課題を解決するための手段】
【０００５】
葉面の他方の側縁に側折線を介して側片を延設し、該葉面と該側片の一体化した物を組材とし、該組材は少なくても二枚で設け、側折線を袋折することで側片は葉面の開重域に重なり、該開重域で折り重なっている該組材どうしを重ねた状態の下部に穴要を貫通させて設け、葉面に設けられた該穴要を葉穴とし、側片に設けられた該穴要を片穴とし、該葉穴と該片穴のどちらかに舌基折線を介して舌片を延設し、該舌片で重なり合った隣接の葉穴を巻き込むことで葉穴と片穴は連結して組材の連結構造を形成し、該穴要を指の入る大きさにして設ける。
【発明の効果】
【０００６】
穴要を指の入る大きさにしたことで、該穴要に指を入れることができるので、持ち易くなって扇ぎ易くなり、該穴要どうしを舌片で巻き込んで組材どうしを連結している構造にすることで、該組材を少なくても２枚にしていることから、組み立てを簡略化できる。
【図面の簡単な説明】
【０００７】
【図１】組立課程要部透視正面斜視図である。（実施例１）
【図２】閉じ状態要部透視部分剥離正面斜視図である。
【図３】開き状態要部透視部分剥離正面斜視図である。
【図４】組立課程要部透視正面斜視図である。（実施例２）
【図５】閉じ状態要部透視正面斜視図である。
【図６】開き状態要部透視正面斜視図である。
【発明を実施するための形態】
【０００８】
穴要に指を入れて持ち易くし、該穴要の中点を中心として回転移動する扇子の要として開閉できる紙扇子を実現した。
【実施例１】
【０００９】
図１は組立課程要部透視正面斜視図である。透視線は破線で示し、剥離線は二重線で示し、折線は一点鎖線で示し、該折線が透視線になる場合は破線で示し、縁及び切線は一本の実線で示し、引き出し（指示）線は細い曲線で示し、透視箇所を指示する引き出し線は先端だけを一点破線で示すことで一枚の面を通ししていることを示す。山折と谷折で表示する折り曲げ方向は正面方向からを基準にする。左右方向を横とし、天地方向を縦とし、正面背面方向を前後とする。本発明を形成する素材は限定ではなく、プラスチックであっても良いが、適宜に腰のある厚紙であることが望ましく、前記厚紙の硬さは楽に折り曲げられて扇ぎ使用に耐えられる硬さであれば良く、具体的に述べるならば、官製ハガキよりも硬ければ目的を果たせる。
【００１０】
縦に適宜に細長い略扇形状で葉面２を設け、該葉面２の右（左であっても良い）側縁に谷折線である側折線３を介して側片４を延設し、該葉面２に該側片４が延設された状態の物を組材５とする。
【００１１】
該組材５の側折線３を谷折で袋折（１８０度の返し折）することで葉面２右下領域である開重域６に側片４を折り重ね、前記折り重ね状態の組材５の下部の略中央へ穴要７を打ち抜いて形成する。
【００１２】
該穴要７の大きさは限定ではなくて適宜であっても良いが、少なくても親指が一本挿入できる大きさにすることが望ましく、該穴要７の形状は限定ではなくて自由にデザイン化された形状であっても良いが、円形を基本にしており、後述するが、部分的に欠けた略D字形状であることが望ましい。葉面２に開いている該穴要７を葉穴８とし、側片４に開いている該穴要７を片穴９とする。
【００１３】
該葉穴８と該片穴９のどちらかに、舌基折線１０を介して舌片１１を延設するのであるが、本実施例１の場合は、葉穴８の下縁を部分的に平にして舌基折線１０とすることが望ましく、該舌基折線１０を介して舌片１１を延設し、該舌片１１は葉穴８の内領域を利用して設けるのであり、該葉穴８の内領域全体を該舌片１１としても良いが、該舌片１１の横両側を平行な直線にすることで、該舌片１１の差し込み時での引っ掛かりを防止できる。
【００１４】
組材５は単数では意味を成さないことから複数である必要があり、複数とする数は限定ではないが、一方と他方の二枚であることが望ましく、一方をａ、他方をｂとする補助符号を本来の符号（本符号）の後ろに付けることで区別することにし、一方の組材５ａと他方の組材５ｂという具合に表示し、一方のａと他方のｂの補助符号を省いている場合は、本符号だけでの総称とし、組材５では、一方の組材５ａと他方の組材５ｂの双方を含めた総称である。
【００１５】
実施例１の組材５の形状は一方と他方共に同形状であることが望ましく、位置関係と付属関係を明瞭にするために、重なった状態では一方の組材５ａを背面にし、他方の組材５ｂを正面にし、符号の後ろに付けられるａとｂによって一方と他方の区別が可能になるので、一方と他方を省いて述べることもあり、一方と他方を強調する場合は省かずに述べることもある。
【００１６】
葉面２ａの正面（前面）に側片４ｂを重ねて、葉穴８ａの正面に片穴９ｂを重ねた状態で舌基折線１０ａを介して延設された舌片１１ａを正面に袋折して片穴９ｂを巻き込んで穴要７として総称される該葉穴８ａと該片穴９ｂを連結する。
【００１７】
実施例１では舌片１１を葉穴８に延設しているので、片穴９は円形を成していることで該舌片１１が穴要７の中心点（中点）を中心とした円周形状で滑り移動することが可能になり、該片穴９の円形縁領域を滑縁１２とする。
【００１８】
該片穴９全体は円形であっても良いが、舌片１１の滑り移動できる範囲を限定する必要があり、該片穴９ａの一部の縁を平にして瞼縁１３を設けることが望ましく、該瞼縁１３は片穴９の上部を平らにして、該平らな縁を瞼縁１３とすることが望ましい。
【００１９】
本体１の組立順序を述べるならば、葉面２ａの正面に側片４ｂを重ねて、片穴９ｂから舌片１１ａを正面へ覗き出して舌基折線１０ａを袋折して該片穴９ｂを巻き込むことで葉穴８ａと該片穴９ｂは連結状態になる。
【００２０】
側折線３ａを谷折で袋折することで側片４ａを側片４ｂの正面へ折り重ね、側折線３ｂを谷折で袋折することで葉面２ｂを該側片４ａの正面へ折り重ねた状態で舌片１１ｂを背方へ折込んで舌基折線１０ｂを袋折することで該舌片１１ｂが該片穴９ａを巻き込んで連結するので、本体１の組立は終了する。
【００２１】
本体１の組立状態は後述するが、該舌片１１の双方共に隣接で重なり合った側片４どうしの隙間に挟まり込んだ状態で固定されており、該側片４どうしの隙間へ該舌片１１をスムーズに差し込むために、該舌片１１に刻み線１４を入れることで該舌片１１の折り曲げが可能になり、前記折り曲げによって段階分けして差し込めるので、該舌片１１をスムーズに差し込める構造になる。該刻み線１４の数は適宜であって限定する必要は無いけれど、各々の舌片１１に二本ずつの平行線で入れる構造であることが望ましい。
【００２２】
図２は閉じ状態要部透視部分剥離正面斜視図である。折線は一点鎖線での表示であるが透視状態になると破線になる。組立順序は段落番号００１６で述べており、重なり順を背面から述べるならば、葉面２ａ、側片４ｂ、側片４ａ、葉面２ｂの順で重なっており、最前面に位置する葉面２ｂの下部に位置している穴要７の周囲を剥離して該剥離領域は二重線で囲んでおり、該二重線内で剥き出しになっている側片４ａの片穴９ａ以外は透視線なので破線で表示している。
【００２３】
該剥離線内の重なり順を背面から述べるならば、葉穴８ａ、片穴９ｂ、舌片１１ａ、舌片１１ｂ、片穴９ａの順序で重なっており、該片穴９ａは透視線ではないので実線で表示しており、最前面に位置している葉面２ｂの下部中央領域は剥離しているので葉穴８ｂは図示されていないが、該葉穴８ｂに舌基折線１０ｂを介して延設されて袋折されている舌片１１ｂは、片穴９ａの背部に隠れて隣接する透視線で図示している。
【００２４】
穴要７どうしの重なり合いは実際にはズレていないのであるが、各々の該穴要７を適宜にズレて図示することで、各々の該穴要７から引き出し線を表示し易くしており、実際には滑縁１２ａの縁線上に滑角１５ｂが接しているのであるが、図面では離れて図示している。
【００２５】
各々の葉面２の開重域６に側片４が折り重なっており、本体１が閉じ状態（葉面どうしの重なり領域が最大値になった状態）では該開重域６の上部どうしは互いに離れていて、該開重域６の下部どうしの重なり合いは維持されている。
【００２６】
葉面２の他方側は側折線３を介して側片４が延設されて袋折されており、該側折線３と反対側の一方側は折線ではなくて切線になった縁であり、その切線縁は本体１の開き状態では外側になることから外側縁１６にし、一方の葉面２ａ側を一方の外側縁１６ａとし、他方の葉面２ｂ側を他方の外側縁１６ｂとし、該一方の外側縁１６ａは葉面２ａと側片４ｂの二枚の面を透視した透視線なので該引き出し線の先を二点の破線で表示することで二枚透視引き出し線とする。
【００２７】
一方の外側縁１６ａを左へ引き出し、他方の外側縁１６ｂを右側へ引き出すことで本体１は開いて行き、本体１の開閉動作で滑縁１２の円周縁に沿って滑角１５が滑り移動するので、要穴７の中点を中心として本体１は開閉する。
【００２８】
図３は開き状態要部透視部分剥離正面斜視図である。穴要７及び舌片１１の重なり順を背面から述べるならば、葉穴８ａ、片穴９ｂ、舌片１１ａ、舌片１１ｂ、片穴９ａの順で重なっており、葉面２ｂの下部が剥離されているので該片穴９ｂは剥き出し状態なので実線で表示されており、該葉面２ｂには図１で示した葉穴８ｂを有しているのであるが、剥離されているので図示していないが、舌基折線１０ｂを介して延設されている舌片１１ｂは片穴９ａに掛けて側片４ａの背面へ隠れた透視線として破線で表示されている。
【００２９】
本体１を図２で示した閉じ状態から図３の開き状態へ近づけるに従って一方の舌片１１ａの先は右下へ移動し、他方の舌片１１ｂの先は左下へ移動するので、本体１が開き終えた状態では、該舌片１１ａ基部折線の舌基折線１０ａと該舌片１１ｂ基部折線の舌基折線１０ｂとが略水平状態で重なり合い、同時に一方の瞼縁１３ａと他方の瞼縁１３ｂとが略水平状態で重なり合っているので、穴要７の天地は水平な並行状態で重なっており、前記の水平で重なり合っている該舌基折線１０ａと該舌基折線１０ｂとを指で押さえることで、該水平重なり状態を維持できるので、本体１が開いた状態を維持した状態で扇ぎ使用することが可能になる。
【００３０】
本体１の閉じ状態では葉面２ａと葉面２ｂは全体が重なっていて、本体１を開いて行くに連れて該葉面２双方の重なり領域は少なくなって行くが、本体１が開き終えた状態でも葉面２ａと葉面２ｂとが重なり合っている領域を開重域６とし、一方の葉面２ａに位置する一方の開重域６ａは他方の葉面２ｂと一方の側片４ａと他方の側片４ｂの三面を透視していて、該一方の開重域６ａの引き出し線の先を三点破線にすることで三枚透視引き出し線とする。該開重域６の領域内に側片４を設けることで、該側片４は該開重域６に挟み込まれているので隠れた状態になって外から見えない。
【００３１】
葉面２ａの側折線３ａを介して延設されて袋折された側片４ａの間に、葉面２ｂの側折線３ｂを介して延設されて袋折された側片４ｂを挟み込んでいるので、袋折された側折線３の各々は側片４の双方を塞き止める働きを成しているので、本体１が開き過ぎるのを抑制する役目を果たし、側片４は本体１の扇ぎ使用での補強の役目も果たしている。
【００３２】
葉面２ｂを右へ回転移動すると本体１は開き状態となり、該開き状態の塞き止めは側折線３が行っているが、該葉面２ｂを左へ回転移動すると本体１は閉じ状態となり、該閉じ状態から更に該葉面２ｂを左へ回転移動させることも可能であるが、該葉面２ｂの左回転を塞き止める構造も必要であり、該葉面２ｂの左回転の塞き止めを行う箇所として片穴９の天縁を直線にして瞼縁１３を設けている。
【００３３】
葉面２ｂを左へ回転移動させると下へ折り返されている他方の舌片１１ｂの先端は右上へ移動するので、一方の瞼縁１３ａの右端に当たって塞き止められる構造になり、同時に一方の舌片１１ａは他方の瞼縁１３ｂの左端に当たって塞き止められる構造になるので、該葉面２ｂの左回転を任意の箇所で塞き止めており、該葉面２ｂが左へ一回転できない構造にしている。
【００３４】
側折線３と瞼縁１３によって葉面２及び舌片１１の回転移動できる範囲は限定されているので、折り返されている該舌片１１どうしは重なり合った状態から外れることがなく、該舌片１１どうしが常に重なり合っているので、該舌片１１の縁どうしが当たって、本体１の開閉を妨げる恐れは無くなる。
【実施例２】
【００３５】
図４は組立課程要部透視正面斜視図である。実施例１では葉穴８に延設されていた舌片を片穴９に差し込んでいたが、本実施例２では片穴９に延設された舌片を背面の葉穴８に差し込んで葉面２と側片４の下縁を巻き込んで正面に位置する葉面２の下部の切込１７に差し込んで固定する構造である。別な表現で述べるならば、実施例１では舌片を内面へ折り返していたが、実施例２では舌片を外面へ出して本体１の下縁を巻き込んで正面に位置する葉面２下部の切込１７に差し込んで固定する構造である。実施例１の舌片１１は舌基折線１０の袋折だけで連結していたが、本実施例２では本体１の下縁を巻き込んで正面まで折り返すための長さが必要であることから巻舌片２０とし、該巻舌片２０の基折線は側片４に位置しているので巻舌基折線２２とする。
【００３６】
細長い略扇形状の葉面２の右（左であって良い）側に谷折線である側折線３を介して略雫形状の側片４を延設して形成する組材５を一方の組材５ａと他方の組材５ｂとして設ける構造は実施例１と同じであるが、実施例１での組材５は双方共に全てが同じ形状であったのに対して、実施例２では一方の組材５ａと他方の組材５ｂは部分的に異なっている。
【００３７】
葉面２の開重域６へ側折線３を袋折することで側片４を折り返して重ねた状態の組材５の下部中央を貫通させた穴を設けて、前記の貫通穴を穴要７とし、該穴要７は指が入る大きさにすることが望ましく、該穴要７で、葉面２に開けられた該穴要７を葉穴８とし、側片４に開けられた該穴要７を片穴９とし、前記の内容は実施例１と同じである。
【００３８】
一方の組材５ａで、葉面２ａ下部の葉穴８ａを円形で設け、側片４ａ下部の片穴９ａも該葉穴８ａと重なり合う円形であるが、下縁を直線にして一方の床縁１８ａとすることが望ましく、該床縁１８ａを形成した該片穴９ａの形状は底辺が部分的に平らになった略円形であることからトンネル形状とする。
【００３９】
他方の組材５ｂで、葉面２ｂ下部の葉穴８ｂを該片穴９ａと同じトンネル形状で設け、該葉穴８ｂ下縁の直線縁領域を他方の床縁１８ｂとし、該床縁１８ｂを下へ適宜に平行移動した箇所を切り込んで切込１７を設け、該切込１７は一本の切線であっても良いが、該切込１７の中央領域から下へ補助穴１９を開けることが望ましく、該補助穴１９の形状は限定ではないが、横長楕円形の下半分の形状であることが望ましい。
【００４０】
他方の組材５ｂで、側片４ｂ下部に片穴９ｂを設けるのであるが、該片穴９ｂの下縁に舌基折線２２を介して巻舌片２０を延設するのであり、該巻舌片２０は長い形状であることから該片穴９ｂから食み出しており、前記の食み出し領域を抜き跡２１とする。
【００４１】
該舌基折線２２を山折して巻舌片２０を背方へ折り返して葉穴８ａに差し込んで垂らした該巻舌片２０に下縁折線２３と先刻み線２４を設け、該先刻み線２４の端から巻舌片２０の側縁を部分的に突出させて突起２５を設ける。
【００４２】
該巻舌片２０の両側縁は平行な直線であることが望ましく、該巻舌片２０の先領域は半円形であることが望ましく、該半円形先領域の基部線を先刻み線２４とし、該先刻み線２４の端を該巻舌片２０の側縁よりも少しだけ突出させて突起２５を形成する。
【００４３】
一方の葉面２ａの下縁を一方の葉下縁２６ａとし、他方の葉面２ｂの下縁を他方の葉下縁２６ｂとし、一方の側片４ａの下縁を一方の片下縁２７ａとし、他方の側片４ｂの下縁を他方の片下縁２７ｂとする。
【００４４】
巻舌片２０を延設する巻舌基折線２２の両端を滑角２８とし、該巻舌片２０は他方の側片４ｂに延設されているので一方の葉穴８ａは滑穴縁２９として該滑角２８を滑らせる箇所と成る。
【００４５】
該巻舌片２０は他方の側片４ｂに延設されているので一方の葉下縁２６ａと、該葉下縁２６ａに重なり合う一方の片下縁１８ａは滑下縁３０と成って該巻舌片２０の先刻み線２４の両端を滑らせる箇所と成る。
【００４６】
該巻舌片２０を切り抜いて延設する他方の片穴９ｂは一方の片穴９ａと同じ形状であっても良いが、穴要７よりも大きな矩形穴であっても良く、該他方の片穴９ｂを矩形にすることで滑角２８と他方の片穴９ｂとの間に適宜な隙間を形成できるので、本体１を打ち抜くための木型を作り易くできる。
【００４７】
図５は閉じ状態要部透視正面斜視図である。穴要７の重なり順序を背面から述べるならば、葉穴８ａ、片穴９ｂ、片穴９ａ、葉穴８ｂの順で重なっており、片穴９ｂから巻舌基折線２２の山折線を介して延設されて背方へ折り返された巻舌片２０が最背面に位置しており、該巻舌片２０を延設して山折されている該巻舌基折線２２によって葉穴８ａを巻き込んで連結しているので、側片４ｂと葉面２ａは連結している。
【００４８】
該巻舌基折線２２と他方の床縁１８ｂは同じ組材５ｂに設けられているので本体１の開閉移動でも常に重なった状態（図面では平行線で表示）を保ち、閉じ状態では一方の床縁１８ａと該他方の床縁１８ｂは任意の角度で交差しているが、本体１が開き状態になると、双方の床縁１８どうしは重なり合う。
【００４９】
本体１の下縁は四層で重なり合っており、背面から述べるならば、一方の葉下縁２６ａ、他方の片下縁２７ｂ、一方の片下縁２７ａ、他方の葉下縁２６ｂの順で重なっており、他方の片下縁２７ｂを指示する引き出し線の先は二点破線で表示されていて二枚を透視する引き出し線を意味している。
【００５０】
最背面に位置している一方の葉下縁２６ａよりも更に背面に位置している巻舌片２０の先は本体１の下へ垂れ下がっており、該巻舌片２０の下縁折線２３を正面へ折り返すことで上記下縁の四層を全て巻き込んだ状態となり、該巻舌片２０の先領域を切込１７へ差し込むことで、本体１の下縁全てを束ねた状態で固定できるのであり、先刻み線２４は該巻舌片２０の先領域基部を屈折させる役割を果たし、補助穴１９は該巻舌片２０を差し込み易くするための隙間を提供してくれるので、該切込１７への差し込みをスムーズに行え、突起２５が切込１７の端に引っ掛かるので、該巻舌片２０の差し込みは抜けにくくなり、本体１の開閉をスムーズに行える役割を果たす。
【００５１】
該巻舌片２０を有している他方の組材５ｂ側に設けられている他方の葉下縁２６ｂと他方の片下縁２７ｂは該巻舌片２０と一体化して同じ方向へ回転するので滑下縁３０に成り得ないが、該巻舌片２０を有していない一方の組材５ａに設けられている一方の葉下縁２６ａと一方の片下縁２７ａは該巻舌片２０と一体化していないので同じ方向へは回転しないので該巻舌片２０を滑らせるための滑下縁３０としての役割を果たす。
【００５２】
該滑下縁３０と成る一方の下縁双方は該巻舌片２０の滑移動範囲内を穴要７の中点を中心とする円周形状で設け、該滑下縁３０と成らない他方の下縁双方は自由にデザイン化された形状であっても支障ないが、該巻舌片２０と接する縁を直線にした略円形であることが望ましい。
【００５３】
該巻舌片２０は滑下縁３０の範囲内で滑って可動するが、該滑下縁３０の右端である一方の側折線３ａの下端は少しだけ突出した縁になっているので、該側折線３ａの下端よりも右へ該巻舌片２０が食み出るのを塞き止めている。
【００５４】
図６は開き状態要部透視正面斜視図である。既に上記しているが、もう一度説明するならば透視図の引き出し線の先は一点の破線で表示しているが、破線を表示するための空白部分は一枚の面を突き抜けていることを表しているのであるが、透視面の枚数が複数の場合は該透視面の枚数によって破線の点の数を加減することにし、二枚通しの場合は破線の点を二つにし、三枚通しの場合は破線の点を三つにして表示する。
【００５５】
開重域６は本体１が開き状態で重なり合う葉面２の部分領域であり、該開重域６の重なり順を背面から述べるならば、一方の開重域６ａ、他方の側片４ｂ、一方の側片４ａ、他方の開重域６ｂの順で四枚重ねになっており、最背面の一方の開重域６ａの正面には三枚の面が重なっていて、前記の重なっている三枚の面を透視していることを示す引き出し線の先は三点の破線引き出し線で表示しており、他方の側片４ｂの引き出し線の先は二点の破線引き出し線で表示している。
【００５６】
最前面（正面）に位置する他方の葉面２ｂを右へ移動させると穴要７の中点を中心とする回転移動によって本体１は開き状態に成り、他方の側折線３ｂは一方の側片４ａを塞き止め、一方の側折線３ａは他方の側片４ｂを塞き止めているので、本体１の開き方向への回転移動は任意の箇所で制限される。
【００５７】
穴要７は複数の穴縁の層によって形成されており、背面から重なり順を述べるならば、一方の葉穴８ａ、他方の片穴９ｂ、一方の片穴９ａ、他方の葉穴８ｂの順で重なっている。
【００５８】
既に上記しているが、もう一度述べるならば、一方を示す場合は本符号の後ろにａの補助符号を付けることにし、他方を示す場合は本符号の後ろにｂの補助符号を付けることにしており、前記の補助符号を付けることで一方と他方を区別できるので、一方と他方の名称を省いて表示することもしているが、一方と他方を明瞭に強調したい場合は、一方と他方を名称に付けて述べる場合もあり、補助符号が無い場合は、一方と他方を限定しない総称とする。
【００５９】
片穴９ｂから巻舌基折線２２を介して延設された巻舌片２０を背方へ袋折して背方に隣接する葉穴８ａを巻き込んで連結し、該巻舌基折線２２の両端は滑角２８と成って該葉穴８ａを滑穴縁２９とすることで回転移動が可能となる。
【００６０】
滑角２８が滑穴縁２９に乗っただけの固定では組材５ｂが下へ落ちる危険性が残っており、該巻舌片２０で葉下縁２６ａと片下縁２７ｂと片下縁２７ａと葉下縁２６ｂの四下縁を下から巻き込んで、最前面に位置する葉面２ｂ下部に設けられた切込１７へ該巻舌片２０の先領域を差し込んで固定する。
【００６１】
閉じ状態の図５では一方の床縁１８ａと他方の床縁１８ｂ及び巻舌基折線２２は一定の角度で交差していたが、開き状態の図６では一方の床縁１８ａと他方の床縁１８ｂ及び巻舌基折線２２は平行に並んで重なっており、該床縁１８の双方が平行に重なっていることから、該床縁１８の双方を指で押さえて固定できるので、本体１の開き状態を指で押さえることで維持できるので、扇ぎ使用中に本体１が不必要に閉じるのを防止できる。
【００６２】
側片４の双方は開重域６双方の間に隠れており、巻舌片２０を抜き出した後の抜き跡２１は該開重域６双方の間に隠れているので外からは見えないことから美観を損ねる恐れはなくなり、側片４の片方の部分領域から該巻舌片２０を切り抜いて延設しているので、該抜き跡２１を片穴９ｂとすることで指を挿入するための穴要７とすることができる。
【産業上の利用可能性】
【００６３】
本発明は、広告媒体であるビラやチラシとして使用することもできる。
【符号の説明】
【００６４】
１              本体
２ａ、２ｂ      葉面
３ａ、３ｂ      側折線
４ａ、４ｂ      側片
５ａ、５ｂ      組材
６ａ、６ｂ      開重域
７ａ、７ｂ      穴要
８ａ、８ｂ      葉穴
９ａ、９ｂ      片穴
１０ａ、１０ｂ  舌基折線
１１ａ、１１ｂ  舌片
１２ａ、１２ｂ  滑縁
２０            巻舌片
２２            巻舌基折線
【図１】
2016120084.tif 000003
【図２】
2016120084.tif 000004
【図３】
2016120084.tif 000005
【図４】
2016120084.tif 000006
【図５】
2016120084.tif 000007
【図６】
2016120084.tif 000008